(57)【要約】    【課題】  雪止め装置を容易に取付けることができる新設屋根用の谷部屋根板を提供することである。    【解決手段】  両方の縁部の内側の個所にそれぞれ配置され、内方かつ上方に屋根板に対して鋭角度αで傾斜した後に折り返されて二枚重ねにされたハゼ摘まみ込み部（１４）と、ハゼ摘まみ込み部の内側の個所にそれぞれ配置され、雪止め装置を取付けるための雪止め装置取付け部（１６）とを備えており、各雪止め装置取付け部が、屋根板を垂直方向上方に折り立てた後に折り返して二枚重ねにし、更に二枚重ねにした内部に屋根板を折り立てた後に再び折り返して二枚重ねにすることによって形成されている。【選択図】  図１
2004218420.tif 000002
【特許請求の範囲】
【請求項１】
雪止め装置を取付けるための谷部屋根板であって、
両方の縁部の内側の個所にそれぞれ配置され、内方かつ上方に屋根板に対して鋭角度で傾斜した後に折り返されて二枚重ねにされたハゼ摘まみ込み部と、
前記ハゼ摘まみ込み部の内側の個所にそれぞれ配置され、雪止め装置を取付けるための雪止め装置取付け部と、
を備えており、前記雪止め装置取付け部の各々が、屋根板を垂直方向上方に折り立てた後に折り返して二枚重ねにし、更に二枚重ねにした内部に屋根板を折り立てた後に再び折り返して二枚重ねにすることによって形成され、或いは、屋根板を垂直方向上方に折り立てた後に折り返し、折り立てた部分と折り返した部分との間に芯材を挿入することによって形成されている、
ことを特徴とする谷部屋根板。
【請求項２】
屋根板のほぼ中央に配置されたリブを更に備えていることを特徴とする請求項１に記載の谷部屋根板。
【請求項３】
雪止め装置を取付けるための谷部屋根板であって、
両方の縁部の内側の個所にそれぞれ配置され、内方かつ上方に屋根板に対して鋭角度で傾斜した後に折り返されて二枚重ねにされたハゼ摘まみ込み部と、
屋根板のほぼ中央に配置され、雪止め装置を取付けるための雪止め装置取付け部と、
を備えており、前記雪止め装置取付け部が、屋根板を垂直方向上方に折り立てた後に折り返して二枚重ねにし、更に二枚重ねにした内部に屋根板を折り立てた後に再び折り返して二枚重ねにすることによって形成され、或いは、屋根板を垂直方向上方に折り立てた後に折り返し、折り立てた部分と折り返した部分との間に芯材を挿入することによって形成されている、
ことを特徴とする谷部屋根板。
【請求項４】
前記芯材が、金属製の丸棒、金属製の角棒、又は金属板を折り重ねたものであることを特徴とする請求項１から３までのいずれか１項に記載の谷部屋根板。
【請求項５】
前記芯材が、前記折り立てた部分と前記折り返した部分との間に、連続的に又は断続的に挿入されていることを特徴とする請求項１から４までのいずれか１項に記載の谷部屋根板。
【請求項６】
雪止め装置を取付けるための谷部屋根板であって、
第１金属板と第２金属板の２枚の金属板で形成されており、
前記第１金属板には、一方の縁部に形成された上ハゼ部分と、前記一方の縁部と他方の縁部との間に配置され、上方かつ前記上ハゼ部分の方へ屋根板に対して鋭角度で傾斜した後に折り返されて二枚重ねにされたハゼ摘まみ込み部とが設けられ、
前記第２金属板には、一方の縁部に形成された下ハゼ部分と、前記一方の縁部と他方の縁部との間に配置され、上方かつ前記下ハゼ部分の方へ屋根板に対して鋭角度で傾斜した後に折り返されて二枚重ねにされたハゼ摘まみ込み部とが設けられ、
前記第２金属板の前記下ハゼ部分に前記第１金属板の前記上ハゼ部分を被せて締め付けることによって、略直線状の横断面に形成された、雪止め装置を取付けるための雪止め装置取付け部が形成されている、
ことを特徴とする谷部屋根板。
【発明の詳細な説明】
【技術分野】
【０００１】
本発明は一般に、新設屋根用の谷部屋根板に関する。より詳細には、本発明は、雪止め装置を取付けるための新設屋根用の谷部屋根板に関する。
【背景技術】
【０００２】
積雪寒冷地の新設住宅の屋根に取り付けられる雪止め装置は、種々のものが開発されており、本発明者も、特許文献１において雪止め装置を提案している。
【０００３】
【特許文献１】特開２００２−４７７７０号公報
【発明の開示】
【発明が解決しようとする課題】
【０００４】
しかしながら、平らなトタン板である屋根板に雪止め装置を取付けるには、屋根板に雪止め装置を取付けるための手段を設けることが必要となる。一方、屋根のうち谷部は、特に凍結し易い部分であるにもかかわらず、雪止め装置を取付けることができる谷部屋根板が見当たらないのが現状である。そのため、積雪寒冷地では、雪止め装置を容易に取付けることができる新設屋根用の谷部屋根板に対する強い要請がある。
【０００５】
したがって、本発明は、雪止め装置を容易に取付けることができる新設屋根用の谷部屋根板を提供することを目的としている。
【課題を解決するための手段】
【０００６】
本願請求項１に記載の雪止め装置を取付けるための谷部屋根板は、両方の縁部の内側の個所にそれぞれ配置され、内方かつ上方に屋根板に対して鋭角度で傾斜した後に折り返されて二枚重ねにされたハゼ摘まみ込み部と、前記ハゼ摘まみ込み部の内側の個所にそれぞれ配置され、雪止め装置を取付けるための雪止め装置取付け部とを備えており、前記雪止め装置取付け部の各々が、屋根板を垂直方向上方に折り立てた後に折り返して二枚重ねにし、更に二枚重ねにした内部に屋根板を折り立てた後に再び折り返して二枚重ねにすることによって形成され、或いは、屋根板を垂直方向上方に折り立てた後に折り返し、折り立てた部分と折り返した部分との間に芯材を挿入することによって形成されていることを特徴とするものである。
【０００７】
本願請求項２に記載の雪止め装置を取付けるための谷部屋根板は、前記請求項１の屋根板において、屋根板のほぼ中央に配置されたリブを更に備えていることを特徴とするものである。
【０００８】
本願請求項３に記載の雪止め装置を取付けるための谷部屋根板は、両方の縁部の内側の個所にそれぞれ配置され、内方かつ上方に屋根板に対して鋭角度で傾斜した後に折り返されて二枚重ねにされたハゼ摘まみ込み部と、屋根板のほぼ中央に配置され、雪止め装置を取付けるための雪止め装置取付け部とを備えており、前記雪止め装置取付け部が、屋根板を垂直方向上方に折り立てた後に折り返して二枚重ねにし、更に二枚重ねにした内部に屋根板を折り立てた後に再び折り返して二枚重ねにすることによって形成され、或いは、屋根板を垂直方向上方に折り立てた後に折り返し、折り立てた部分と折り返した部分との間に芯材を挿入することによって形成されていることを特徴とするものである。
【０００９】
本願請求項４に記載の雪止め装置を取付けるための谷部屋根板は、前記請求項１から３までのいずれか１項の谷部屋根板において、前記芯材が、金属製の丸棒、金属製の角棒、又は金属板を折り重ねたものであることを特徴とするものである。
【００１０】
本願請求項５に記載の雪止め装置を取付けるための谷部屋根板は、前記請求項１から４までのいずれか１項の谷部屋根板において、前記芯材が、前記折り立てた部分と前記折り返した部分との間に連続的に又は断続的に挿入されていることを特徴とするものである。
【００１１】
本願請求項６に記載の雪止め装置を取付けるための谷部屋根板は、第１金属板と第２金属板の２枚の金属板で形成されており、前記第１金属板には、一方の縁部に形成された上ハゼ部分と、前記一方の縁部と他方の縁部との間に配置され、上方かつ前記上ハゼ部分の方へ屋根板に対して鋭角度で傾斜した後に折り返されて二枚重ねにされたハゼ摘まみ込み部とが設けられ、前記第２金属板には、一方の縁部に形成された下ハゼ部分と、前記一方の縁部と他方の縁部との間に配置され、上方かつ前記下ハゼ部分の方へ屋根板に対して鋭角度で傾斜した後に折り返されて二枚重ねにされたハゼ摘まみ込み部とが設けられ、前記第２金属板の前記下ハゼ部分に前記第１金属板の前記上ハゼ部分を被せて締め付けることによって、略直線状の横断面に形成された、雪止め装置を取付けるための雪止め装置取付け部が形成されていることを特徴とするものである。
【発明の効果】
【００１２】
本発明の谷部屋根板によれば、新設屋根の谷部に容易に雪止め装置を取付けることが可能になる。
【発明を実施するための最良の形態】
【００１３】
次に図面を参照して、本発明の好ましい実施の形態に係る新設屋根用の谷部屋根板について説明する。図１は、本発明の第１の実施の形態に係る谷部屋根板を示した図である。図１（ａ）において全体として参照符号１０で示される第１の実施の形態に係る谷部屋根板は、所定の寸法を有する１枚の細長い金属板で作られている。
【００１４】
谷部屋根板１０には、好ましくは、両方の縁部に、縁部がそれぞれ上方に折り返された水返し部１２が設けられている。谷部屋根板１０には又、水返し部１２の内側の個所に、内方かつ上方に谷部屋根板１０に対して角度α（角度αは鋭角）だけ傾斜した後に折り返されて二枚重ねにされたハゼ摘まみ込み部１４がそれぞれ設けられている。各ハゼ摘まみ込み部１４によって、ポケット１５が形成される。谷部屋根板１０には更に、ハゼ摘まみ込み部１４の内側の個所に、雪止め装置を取付けるための雪止め装置取付け部１６がそれぞれ設けられている。雪止め装置取付け部１６は、屋根板１０を垂直方向上方に折り立てた後に折り返して二枚重ねにし、更に二枚重ねにした内部に屋根板１０を折り立てた後に再び折り返して二枚重ねにし、外側の二枚重ね部分と内側の二枚重ね部分の計４枚重ねによって形成される。
【００１５】
図２は、本発明の第２の実施の形態に係る谷部屋根板を示した図である。図２（ａ）において全体として参照符号２０で示される第２の実施の形態に係る谷部屋根板は、所定の寸法を有する１枚の細長い金属板で作られており、中央にリブ２８が設けられている点を除いて、谷部屋根板１０と実質的に同一である。
【００１６】
すなわち、谷部屋根板２０は、両方の縁部に設けられた水返し部２２と、水返し部２２の内側の個所に設けられ、内部にポケット２５が構成されるハゼ摘まみ込む部２４と、ハゼ摘まみ込み部２４の内側の個所に設けられ、雪止め装置を取付けるための雪止め装置取付け部２６と、谷部屋根板２０のほぼ中央に設けられたリブ２８を備えている。
【００１７】
図３は、本発明の第３の実施の形態に係る谷部屋根板を示した図である。図３（ａ）において全体として参照符号３０で示される第３の実施の形態に係る谷部屋根板は、所定の寸法を有する１枚の細長い金属板で作られており、雪止め装置取付け部３６が１基のみ配置されている点を除いて、谷部屋根板１０と実質的に同一である。
【００１８】
すなわち、谷部屋根板３０は、両方の縁部に設けられた水返し部３２と、水返し部３２の内側の個所に設けられ、内部にポケット３５が構成されるハゼ摘まみ込む部３４とを備えている。
【００１９】
図４は、谷部屋根板３０の変形形態を示したものである。すなわち、図４（ａ）において全体として参照符号４０で示される谷部屋根板は、２枚の細長い金属板４０ａ、４０ｂで作られている点を除いて、谷部屋根板３０と実質的に同一である。
【００２０】
谷部屋根板４０を構成する屋根板４０ａは、一方の縁部が折り立てられ、折り立てられた部分４６ａ１の先端が横方向外方に折り曲げられて、ほぼ逆Ｌ字形の横断面を有する被接部４６ａ２を形成している。そして、折り立てられた部分４６ａ１は、更に、その裾縁が延長され、下方に折り返されて引掛縁４６ａ３となっている。折り立てられた部分４６ａ１、被接部４６ａ２、及び引掛縁４６ａ３は協同して、上ハゼ部分４６ａを構成している。一方、谷部屋根板４０を構成する屋根板４０ｂは、一方の縁部が折り立てられ、折り立てられた部分４６ｂ１の先端が横方向内方に折り曲げられて、ほぼ逆Ｌ字形の横断面を有する被接部４６ｂ２を形成している。折り立てられた部分４６ｂ１、及び被接部４６ｂ２は協同して、下ハゼ部分４６ｂを構成している。そして、屋根板４０ｂの下ハゼ部分４６ｂに屋根板４０ａの上ハゼ部分４６ａを被せて、両方のハゼ部分４６ａ、４６ｂを締め付けることによって、略直線状の横断面を有する雪止め装置を取付けるための雪止め装置取付け部４６が形成される。
【００２１】
なお、屋根板４０ａ、４０ｂには、図４に示されるように、谷部屋根板３０と同様に、ハゼ摘まみ込み部４６ａ、４６ｂがそれぞれ設けられている。
【００２２】
図５は、特許文献１において本発明者が提案した雪止め装置５０を示した斜視図である。また、図６に示されるような雪止め装置５２を使用してもよい。雪止め装置５２は、プレート５２ａ間で谷部屋根板の雪止め装置取付け部を挟み、ボルト５２ｂを締めることによって固定される。
【００２３】
次に、図７を参照して、以上のように構成された谷部屋根板２０の取付けについて説明する。まず、谷部屋根板２０を、屋根の形状に合うように、リブ２８を中心として「逆ハ」字形に折って、谷部に配置する。そして、谷部屋根板２０の端部を下地に釘で固定し、隣接する屋根板の折り曲げ端部を谷部屋根板２０のハゼ摘まみ込み部に差し込む。このようにして谷部屋根板２０を取付けた後に、取付け部２６に雪止め装置を取付ける。谷部屋根板２０のリブ２８は、屋根板２０の補強に役立つとともに、屋根板２０を屋根の形状に合わせて折るのにも役立つ。なお、谷部屋根板１０、３０、４０も、谷部屋根板２０と同様にして取付けられる。
【００２４】
本発明は、以上の発明の実施の形態に限定されることなく、特許請求の範囲に記載された発明の範囲内で、種々の変更が可能であり、それらも本発明の範囲内に包含されるものであることはいうまでもない。
【００２５】
たとえば、前記実施の形態では、２種類の雪止め装置５０、５２が紹介されているが、他の型式の雪止め装置を使用してもよい。
【００２６】
また、図１、図２及び図３に示される実施の形態では、雪止め装置取付け部１６、２６、３６がそれぞれ、屋根板１０、２０、３０を垂直方向上方に折り立てた後に折り返して二枚重ねにし、更に二枚重ねにした内部に屋根板１０、２０、３０を折り立てた後に再び折り返して二枚重ねにし、外側の二枚重ね部分と内側の二枚重ね部分の計４枚重ねによって形成されているが、図８（ａ）、図８（ｂ）及び図８（ｃ）に示されるように、屋根板を垂直方向上方に折り立てた後に折り返し、折り立てた部分と折り返した部分１６′、２６′、３６′との間に芯材１７、２７、３７を挿入することによって形成してもよい。
【００２７】
なお、芯材１７、２７、３７は、折り立てた部分と折り返した部分との間に断続的に挿入してもよく（図９（ａ）参照）、或いは、折り立てた部分と折り返した部分との間に連続的に挿入してもよい（図９（ｂ）参照）。また、芯材１７、２７、３７は、金属製の丸棒、金属製の角棒、又は金属板を折り重ねたものでよい（図９（ｃ）参照）。
【図面の簡単な説明】
【００２８】
【図１】本発明の第１の実施の形態に係る谷部屋根板を示した図であって、（ａ）は斜視図、（ｂ）は正面図である。
【図２】本発明の第２の実施の形態に係る谷部屋根板を示した図であって、（ａ）は斜視図、（ｂ）は正面図である。
【図３】本発明の第３の実施の形態に係る谷部屋根板を示した図であって、（ａ）は斜視図、（ｂ）は正面図である。
【図４】図３の谷部屋根板の変形形態を示した図であって、（ａ）は２枚の屋根板が分離した状態を示した斜視図、（ｂ）は２枚の屋根板が結合した状態を示した斜視図、（ｃ）は正面図である。
【図５】雪止め装置の一例を示した斜視図である。
【図６】雪止め装置の別の例を示した斜視図である。
【図７】図２の谷部屋根板が配置される状態を示した図である。
【図８】雪止め装置の変形形態を示した図である。
【図９】図８の雪止め装置に用いられる芯材を示した図である。
【符号の説明】
【００２９】
１０、２０、３０、４０  雪止め装置を取付けるための谷部屋根板
１４、２４、３４、４４ａ、４４ｂ  ハゼ摘まみ込み部
１６、２６、３６、４６、１６′、２６′、３６′  雪止め装置取付け部
１７、２７、３７  芯材
【図１】
2004218420.tif 000003
【図２】
2004218420.tif 000004
【図３】
2004218420.tif 000005
【図４】
2004218420.tif 000006
【図５】
2004218420.tif 000007
【図６】
2004218420.tif 000008
【図７】
2004218420.tif 000009
【図８】
2004218420.tif 000010
【図９】
2004218420.tif 000011